【誤訳訂正書】
【提出日】平成21年8月28日(2009.8.28)
【誤訳訂正１】
【訂正対象書類名】明細書
【訂正対象項目名】請求項１
【訂正方法】変更
【訂正の内容】
【請求項１】  一般式Ｉの化合物：
【化１】
2001515060.tif 000001
式Ｉ：
非対称の中心が存在する時に、上式がその塩を含む、Ｄ-、Ｌ-またはＤＬ-形態で存在し、ここで際Ｒ１は次の一般式の脂肪親和性の残基であり：
【化２】
2001515060.tif 000002
式中Ｒ２およびＲ３が互いに独立してドデシル、ドデセニル、テトラデシル、テトラデセニル、ヘキサデシル、ヘキサデセニル、オクタデシル、オクタデセニルであるか、又は飽和若しくは不飽和であってもよく、分枝若しくは非分枝又はフッ素化若しくは非フッ素化されていてもよい、５、６、７、８、９、１０、１１、１２、１３、１４、１５、１６、１７、１８、１９、２０、２１、２２、２３、２４、２５、２６、２７、２８、２９または３０個の炭素原子からなる他のアルキル残基であり、
かつＸは次の基の１つであり：
【化３】
2001515060.tif 000003
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または  式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または  式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または  式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または  式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または  式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または【化４】
2001515060.tif 000004
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｈ＝０、１、２、３、４、５または６とすることができ、または
【化５】
2001515060.tif 000005
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｒ＝０、１、２、３、４、５または６とすることができ、
または
【化６】
2001515060.tif 000006
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｋ＝０、１、２、３、４、５または６とすることができ、
または
【化７】
2001515060.tif 000007
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６、ｔ＝０、１、２、３、４、５または６とすることができ、
または
【化８】
2001515060.tif 000008
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
【化９】
2001515060.tif 000009
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または  式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
【化１０】
2001515060.tif 000010
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６およびｌ＝０、１、２、３、４、５または６とすることができ、
または
【化１１】
2001515060.tif 000011
式中ｍ＝０かつｎ＝０であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝０かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝１かつｎ＝１であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または  式中ｍ＝１かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
または
式中ｍ＝２かつｎ＝２であり、この場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または【化１２】
2001515060.tif 000012
式中ｍ＝０およびｎ＝０であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝０およびｎ＝１であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝０およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝１およびｎ＝１であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝１およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、または
式中ｍ＝２およびｎ＝２であり、かつこの場合にはｇ＝１、２、３、４、５、６、７または８、ａ＝０、１、２、３、４、５または６、ｂ＝０、１、２、３、４、５または６、ｃ＝０、１、２、３、４、５または６、ｄ＝０、１、２、３、４、５または６、ｅ＝０、１、２、３、４、５または６、ｆ＝０、１、２、３、４、５または６とすることができ、
ただし、上記の全ての場合において、ａ＝０のとき、ｂは１より小さいか、もしくは１と等しく、ｅ＝０のとき、ｆは１より小さいか、もしくは１と等しく、かつａ＝ｂ＝ｃ＝ｄ＝ｅ＝ｆ＝０の場合が除外される。